(57)【要約】【課題】ボックスの高さ調整作業を容易に行うことができるボックス支持装置並びに同ボックス支持装置に組み付けられるボックス支持具及びボックスを提供する。【解決手段】コンクリートスラブを形成する型枠Ｋの上面にはボックス支持具１３が設置され、そのボックス支持具１３からは一対のボルト体Ｂが上下方向に延びるように支持されている。また、一対のボルト体Ｂには、それぞれナットＮが螺合されている。ボックス１２の外面には前記一対のボルト体Ｂを挿通可能な挿通部Ｓが形成されている。そして、一対のボルト体Ｂを挿通部Ｓに挿通するとともに、ナットＮ上にボックス１２を支持させることによってボックス支持装置１１が型枠Ｋに設置される。ナットＮをボルト体Ｂに沿って移動させることにより、ボックス１２の高さが調整される。【選択図】      図５
2004159457.tif 000002
【特許請求の範囲】
【請求項１】
コンクリートスラブを形成する型枠に上下方向に延びるように設けられる複数の支持杆と、
前記複数の支持杆がそれぞれ挿通される挿通部を備えるとともに、前記コンクリートスラブに埋設されるボックスと、
前記支持杆に取り付けられ、前記ボックスを支持する支持体と
より形成され、前記挿通部に支持杆が挿通され、前記ボックスが支持体に支持されることにより、当該ボックスが支持杆に支持され、前記支持体の支持杆に沿った移動によって、ボックスの高さを調整可能とすることを特徴とするボックス支持装置。
【請求項２】
前記支持杆はボルト体により形成されているとともに、前記支持体は前記ボルト体に螺合されるナットにより形成され、前記ナットのボルト体に沿った螺進又は螺退によってボックスの高さを調整可能とすることを特徴とする請求項１に記載のボックス支持装置。
【請求項３】
コンクリートスラブを形成する型枠に上下方向に延びるように設けられる複数の支持ボルトと、
前記複数の支持ボルトがそれぞれ挿通され、それら支持ボルトに螺合する螺合部が設けられた挿通部を備えるとともに、前記コンクリートスラブに埋設されるボックスと
より形成され、前記挿通部に支持ボルトが挿通されるとともに、同支持ボルトに螺合部が螺合されることにより、前記ボックスが支持ボルトに支持され、前記支持ボルトの周方向への回転によって、前記螺合部が支持ボルトに沿って螺進又は螺退されてボックスの高さを調整可能とすることを特徴とするボックス支持装置。
【請求項４】
前記ボックスは、上面に開口を有する箱状に形成され、前記挿通部はボックスの側壁の上下方向に沿って延びるように形成されていることを特徴とする請求項１〜請求項３のいずれか一項に記載のボックス支持装置。
【請求項５】
前記ボックスは四角箱状に形成され、前記挿通部はボックスの相対向する一対の側壁に形成されていることを特徴とする請求項１〜請求項４のいずれか一項に記載のボックス支持装置。
【請求項６】
前記挿通部はボックスの対角に位置するように形成されていることを特徴とする請求項５に記載のボックス支持装置。
【請求項７】
コンクリートスラブを形成する型枠に固定される支持具本体に支持されて前記型枠に上下方向に延びるように設けられるとともに、支持具本体に設けられたねじ部に螺合される複数の支持ボルトと、
前記複数の支持ボルトに支持される支持部が設けられているとともに、前記コンクリートスラブに埋設されるボックスと
より形成され、前記支持部が支持ボルトに支持されることにより、前記ボックスが支持ボルトに支持され、前記支持ボルトの周方向への回転によって、当該支持ボルトがねじ部に沿って螺進又は螺退されてボックスの高さを調整可能とすることを特徴とするボックス支持装置。
【請求項８】
コンクリートスラブを形成する型枠に固定される支持具本体の挿入部に挿入されることにより、同支持具本体に支持されて前記型枠に上下方向に延びるように設けられる複数の支持ボルトと、
前記支持ボルトに螺合されるとともに、前記挿入部の上端面に支持される調整ナットと、
前記複数の支持ボルトに支持される支持部が設けられているとともに、前記コンクリートスラブに埋設されるボックスと
より形成され、前記支持部が支持ボルトに支持されることにより、前記ボックスが支持ボルトに支持され、前記調整ナットの支持ボルトに沿った螺進又は螺退によってボックスの高さを調整可能とすることを特徴とするボックス支持装置。
【請求項９】
コンクリートスラブを形成する型枠に固定される支持具本体と、
同支持具本体に設けられた挿入部に挿入され、当該支持具本体に上下方向に延びるように支持される複数の支持杆と、
前記支持杆に取り付けられる支持体と
より形成され、
前記コンクリートスラブに埋設されるボックスが備える複数の挿通部に前記複数の支持杆をそれぞれ挿通させ、前記ボックスを前記支持体に支持させることにより、当該ボックスを支持杆に支持し、支持体を支持杆に沿って移動させることによってボックスの高さを調整可能とすることを特徴とするボックス支持具。
【請求項１０】
前記支持杆はボルト体により形成されているとともに、前記支持体は前記ボルト体に螺合されるナットにより形成され、前記ナットのボルト体に沿った螺進又は螺退によってボックスの高さを調整可能とすることを特徴とする請求項９に記載のボックス支持具。
【請求項１１】
コンクリートスラブを形成する型枠に固定される支持具本体と、
同支持具本体に設けられた挿入部に挿入され、当該支持具本体に上下方向に延びるように支持される複数の支持ボルトと
より形成され、前記コンクリートスラブに埋設されるボックスが備える複数の挿通部に前記複数の支持ボルトをそれぞれ挿通させ、それら支持ボルトを前記挿通部に設けられた螺合部に螺合させることにより、当該ボックスを支持ボルトに支持し、当該支持ボルトを周方向へ回転させることによって、前記螺合部が支持ボルトに沿って螺進又は螺退されてボックスの高さを調整可能とすることを特徴とするボックス支持具。
【請求項１２】
前記支持杆又は支持ボルトは、四角箱状に形成されたボックスの相対向する一対の側壁に形成された前記挿通部に挿通されるべく支持具本体に一対設けられていることを特徴とする請求項９〜請求項１１のいずれか一項に記載のボックス支持具。
【請求項１３】
前記一対の支持杆又は支持ボルトは、ボックスの対角に位置するように形成された挿通部に挿通可能とすべく相対向する位置に形成されていることを特徴とする請求項１２に記載のボックス支持具。
【請求項１４】
コンクリートスラブを形成する型枠に固定される支持具本体と、
同支持具本体に設けられた挿入部に挿入され、当該支持具本体に上下方向に延びるように支持される複数の支持ボルトと、
前記挿入部に設けられ、前記支持ボルトが螺合可能なねじ部と
より形成され、前記コンクリートスラブに埋設されるボックスが備える複数の支持部を前記複数の支持ボルトに支持させることにより、当該ボックスを支持ボルトに支持し、前記支持ボルトを周方向へ回転させることによって、当該支持ボルトがねじ部に沿って螺進又は螺退されてボックスの高さを調整可能とすることを特徴とするボックス支持具。
【請求項１５】
コンクリートスラブを形成する型枠に固定される支持具本体と、
同支持具本体に設けられた挿入部に挿入され、当該支持具本体に上下方向に延びるように支持される複数の支持ボルトと、
前記挿入部の上端面に支持され、前記支持ボルトに螺合される調整ナットと
より形成され、前記コンクリートスラブに埋設されるボックスが備える複数の支持部を前記複数の支持ボルトに支持させることにより、当該ボックスを支持ボルトに支持し、前記調整ナットの支持ボルトに沿った螺進又は螺退によってボックスの高さを調整可能とすることを特徴とするボックス支持具。
【請求項１６】
前記挿入部には、前記支持杆又は支持ボルトを当該挿入部に保持するために、ねじを螺入可能とするねじ孔が形成されていることを特徴とする請求項９〜請求項１５のいずれか一項に記載のボックス支持具。
【請求項１７】
コンクリートスラブに埋設されるボックスであって、前記コンクリートスラブを形成する型枠から上下方向に延びる複数の支持杆に取り付けられた支持体に支持されるとともに、前記複数の支持杆がそれぞれ挿通される挿通部を側壁に備えることを特徴とするボックス。
【請求項１８】
コンクリートスラブに埋設されるボックスであって、前記コンクリートスラブを形成する型枠から上下方向に延びる複数の支持ボルトに支持されるとともに、前記複数の支持ボルトがそれぞれ挿通され、さらにそれら支持ボルトに螺合する螺合部が設けられた挿通部を側壁に備えることを特徴とするボックス。
【請求項１９】
上面に開口を有する箱状に形成され、前記挿通部はボックスの側壁の上下方向に沿って延びるように形成されていることを特徴とする請求項１７又は請求項１８に記載のボックス。
【請求項２０】
四角箱状に形成され、前記挿通部は相対向する一対の側壁に形成されていることを特徴とする請求項１７〜請求項１９のいずれか一項に記載のボックス。
【請求項２１】
前記挿通部は対角に位置するように形成されていることを特徴とする請求項２０に記載のボックス。
【請求項２２】
コンクリートスラブに埋設されるボックスであって、前記コンクリートスラブを形成する型枠から上下方向に延びる複数の支持ボルトに支持されるとともに、前記複数の支持ボルトに支持される支持部を側壁に備えることを特徴とするボックス。
【発明の詳細な説明】
【０００１】
【発明の属する技術分野】
本発明は、コンクリートスラブを形成する際に、そのコンクリートスラブ内に埋設されるボックスを支持するためのボックス支持装置並びに同ボックス支持装置に組み付けられるボックス支持具及びボックスに関するものである。
【０００２】
【従来の技術】
従来より、コンクリートスラブ内に配線器具を設置するために、同コンクリートスラブ内には、上面に開口を有する箱状をなす配線用ボックスが埋設されている。また、その配線用ボックスを開口面が上方を向くようにコンクリートスラブ内に埋設するために、ボックス支持具としてのボックス固定具が使用されている（例えば、特許文献１参照。）。
【０００３】
このボックス固定具は、コンクリートスラブを形成する型枠に固定される固定具本体と、上面がボックス取付け面となっているボックス取付け具とから形成されている。前記固定具本体は略円筒状をなし、内周面に雌ねじが形成されている。一方、前記ボックス取付け具は、二枚の雄ねじ板を横断面が十字状となるように連結して形成され、両雄ねじ板の両端面に雄ねじが形成されている。固定具本体の雌ねじと、ボックス取付け具の雄ねじとを螺合してボックス取付け具を回転させると、当該ボックス取付け具が固定具本体に対して上下動するように形成されている。
【０００４】
そして、前記固定具本体を型枠に固定し、ボックス取付け具の上端面のボックス取付け面にボックスを載せるとともに、タッピンねじを使用して前記ボックスをボックス取付け具に固定する。さらに、ボックス取付け具を回転させることによって、ボックスの開口面における高さが調整され、そのボックスの開口面と、後に形成されるコンクリートスラブの高さとがほぼ一致するようにボックスが支持される。
【０００５】
【特許文献１】
実開昭６３−１７９３５８号（第３頁〜第７頁）
【０００６】
【発明が解決しようとする課題】
ところが、上記従来のボックス固定具において、ボックスの高さ調整はボックス取付け具の回転によって行われる。このとき、ボックスは、ボックス取付け具のボックス取付け面にタッピンねじによって固定されているため、ボックス取付け具の回転とともにボックスも回転することになる。そのため、ボックスの側壁に電線管等の管材が接続された状態では、ボックス取付け具とともにボックスを回転させることができず、ボックスの高さ調整ができなくなってしまう。その結果、ボックスの高さ調整をする際は、まず、管材をボックスから取外し、ボックス取付け具を回転させて高さを調整した後、管材をボックスに再度接続する作業を行わなければならない。又はボックスをボックス取付け具から取外し、ボックス取付け具を回転させて高さを調整した後、ボックスをボックス取付け具に再度固定する作業を行わなければならない。即ち、ボックスの高さ調整作業が非常に煩雑であるという問題があった。
【０００７】
本発明は、上記従来技術に存在する問題点に着目してなされたものである。その目的とするところは、ボックスの高さ調整作業を容易に行うことができるボックス支持装置並びに同ボックス支持装置に組み付けられるボックス支持具及びボックスを提供することにある。
【０００８】
【課題を解決するための手段】
上記問題点を解決するために、請求項１に記載の発明は、コンクリートスラブを形成する型枠に上下方向に延びるように設けられる複数の支持杆と、前記複数の支持杆がそれぞれ挿通される挿通部を備えるとともに、前記コンクリートスラブに埋設されるボックスと、前記支持杆に取り付けられ、前記ボックスを支持する支持体とより形成され、前記挿通部に支持杆が挿通され、前記ボックスが支持体に支持されることにより、当該ボックスが支持杆に支持され、前記支持体の支持杆に沿った移動によって、ボックスの高さを調整可能とすることを要旨とする。
【０００９】
請求項２に記載の発明は、請求項１に記載のボックス支持装置において、前記支持杆はボルト体により形成されているとともに、前記支持体は前記ボルト体に螺合されるナットにより形成され、前記ナットのボルト体に沿った螺進又は螺退によってボックスの高さを調整可能とすることを要旨とする。
【００１０】
請求項３に記載の発明は、コンクリートスラブを形成する型枠に上下方向に延びるように設けられる複数の支持ボルトと、前記複数の支持ボルトがそれぞれ挿通され、それら支持ボルトに螺合する螺合部が設けられた挿通部を備えるとともに、前記コンクリートスラブに埋設されるボックスとより形成され、前記挿通部に支持ボルトが挿通されるとともに、同支持ボルトに螺合部が螺合されることにより、前記ボックスが支持ボルトに支持され、前記支持ボルトの周方向への回転によって、前記螺合部が支持ボルトに沿って螺進又は螺退されてボックスの高さを調整可能とすることを要旨とする。
【００１１】
請求項４に記載の発明は、請求項１〜請求項３のいずれか一項に記載のボックス支持装置において、前記ボックスは、上面に開口を有する箱状に形成され、前記挿通部はボックスの側壁の上下方向に沿って延びるように形成されていることを要旨とする。
【００１２】
請求項５に記載の発明は、請求項１〜請求項４のいずれか一項に記載のボックス支持装置において、前記ボックスは四角箱状に形成され、前記挿通部はボックスの相対向する一対の側壁に形成されていることを要旨とする。
【００１３】
請求項６に記載の発明は、請求項５に記載のボックス支持装置において、前記挿通部はボックスの対角に位置するように形成されていることを要旨とする。
請求項７に記載の発明は、コンクリートスラブを形成する型枠に固定される支持具本体に支持されて前記型枠に上下方向に延びるように設けられるとともに、支持具本体に設けられたねじ部に螺合される複数の支持ボルトと、前記複数の支持ボルトに支持される支持部が設けられているとともに、前記コンクリートスラブに埋設されるボックスとより形成され、前記支持部が支持ボルトに支持されることにより、前記ボックスが支持ボルトに支持され、前記支持ボルトの周方向への回転によって、当該支持ボルトがねじ部に沿って螺進又は螺退されてボックスの高さを調整可能とすることを要旨とする。
【００１４】
請求項８に記載の発明は、コンクリートスラブを形成する型枠に固定される支持具本体の挿入部に挿入されることにより、同支持具本体に支持されて前記型枠に上下方向に延びるように設けられる複数の支持ボルトと、前記支持ボルトに螺合されるとともに、前記挿入部の上端面に支持される調整ナットと、前記複数の支持ボルトに支持される支持部が設けられているとともに、前記コンクリートスラブに埋設されるボックスとより形成され、前記支持部が支持ボルトに支持されることにより、前記ボックスが支持ボルトに支持され、前記調整ナットの支持ボルトに沿った螺進又は螺退によってボックスの高さを調整可能とすることを要旨とする。
【００１５】
請求項９に記載の発明は、コンクリートスラブを形成する型枠に固定される支持具本体と、同支持具本体に設けられた挿入部に挿入され、当該支持具本体に上下方向に延びるように支持される複数の支持杆と、前記支持杆に取り付けられる支持体とより形成され、前記コンクリートスラブに埋設されるボックスが備える複数の挿通部に前記複数の支持杆をそれぞれ挿通させ、前記ボックスを前記支持体に支持させることにより、当該ボックスを支持杆に支持し、支持体を支持杆に沿って移動させることによってボックスの高さを調整可能とすることを要旨とする。
【００１６】
請求項１０に記載の発明は、請求項９に記載のボックス支持具において、前記支持杆はボルト体により形成されているとともに、前記支持体は前記ボルト体に螺合されるナットにより形成され、前記ナットのボルト体に沿った螺進又は螺退によってボックスの高さを調整可能とすることを要旨とする。
【００１７】
請求項１１に記載の発明は、コンクリートスラブを形成する型枠に固定される支持具本体と、同支持具本体に設けられた挿入部に挿入され、当該支持具本体に上下方向に延びるように支持される複数の支持ボルトとより形成され、前記コンクリートスラブに埋設されるボックスが備える複数の挿通部に前記複数の支持ボルトをそれぞれ挿通させ、それら支持ボルトを前記挿通部に設けられた螺合部に螺合させることにより、当該ボックスを支持ボルトに支持し、当該支持ボルトを周方向へ回転させることによって、前記螺合部が支持ボルトに沿って螺進又は螺退されてボックスの高さを調整可能とすることを要旨とする。
【００１８】
請求項１２に記載の発明は、請求項９〜請求項１１のいずれか一項に記載のボックス支持具において、前記支持杆又は支持ボルトは、四角箱状に形成されたボックスの相対向する一対の側壁に形成された前記挿通部に挿通されるべく支持具本体に一対設けられていることを要旨とする。
【００１９】
請求項１３に記載の発明は、請求項１２に記載のボックス支持具において、前記一対の支持杆又は支持ボルトは、ボックスの対角に位置するように形成された挿通部に挿通可能とすべく相対向する位置に形成されていることを要旨とする。
【００２０】
請求項１４に記載の発明は、コンクリートスラブを形成する型枠に固定される支持具本体と、同支持具本体に設けられた挿入部に挿入され、当該支持具本体に上下方向に延びるように支持される複数の支持ボルトと、前記挿入部に設けられ、前記支持ボルトが螺合可能なねじ部とより形成され、前記コンクリートスラブに埋設されるボックスが備える複数の支持部を前記複数の支持ボルトに支持させることにより、当該ボックスを支持ボルトに支持し、前記支持ボルトを周方向へ回転させることによって、当該支持ボルトがねじ部に沿って螺進又は螺退されてボックスの高さを調整可能とすることを要旨とする。
【００２１】
請求項１５に記載の発明は、コンクリートスラブを形成する型枠に固定される支持具本体と、同支持具本体に設けられた挿入部に挿入され、当該支持具本体に上下方向に延びるように支持される複数の支持ボルトと、前記挿入部の上端面に支持され、前記支持ボルトに螺合される調整ナットとより形成され、前記コンクリートスラブに埋設されるボックスが備える複数の支持部を前記複数の支持ボルトに支持させることにより、当該ボックスを支持ボルトに支持し、前記調整ナットの支持ボルトに沿った螺進又は螺退によってボックスの高さを調整可能とすることを要旨とする。
【００２２】
請求項１６に記載の発明は、請求項９〜請求項１５のいずれか一項に記載のボックス支持具において、前記挿入部には、前記支持杆又は支持ボルトを当該挿入部に保持するために、ねじを螺入可能とするねじ孔が形成されていることを要旨とする。
【００２３】
請求項１７に記載の発明は、コンクリートスラブに埋設されるボックスであって、前記コンクリートスラブを形成する型枠から上下方向に延びる複数の支持杆に取り付けられた支持体に支持されるとともに、前記複数の支持杆がそれぞれ挿通される挿通部を側壁に備えることを要旨とする。
【００２４】
請求項１８に記載の発明は、コンクリートスラブに埋設されるボックスであって、前記コンクリートスラブを形成する型枠から上下方向に延びる複数の支持ボルトに支持されるとともに、前記複数の支持ボルトがそれぞれ挿通され、さらにそれら支持ボルトに螺合する螺合部が設けられた挿通部を側壁に備えることを要旨とする。
【００２５】
請求項１９に記載の発明は、請求項１７又は請求項１８に記載のボックスにおいて、上面に開口を有する箱状に形成され、前記挿通部はボックスの側壁の上下方向に沿って延びるように形成されていることを要旨とする。
【００２６】
請求項２０に記載の発明は、請求項１７〜請求項１９のいずれか一項に記載のボックスにおいて、四角箱状に形成され、前記挿通部は相対向する一対の側壁に形成されていることを要旨とする。
【００２７】
請求項２１に記載の発明は、請求項２０に記載のボックスにおいて、前記挿通部は対角に位置するように形成されていることを要旨とする。
請求項２２に記載の発明は、コンクリートスラブに埋設されるボックスであって、前記コンクリートスラブを形成する型枠から上下方向に延びる複数の支持ボルトに支持されるとともに、前記複数の支持ボルトに支持される支持部を側壁に備えることを要旨とする。
【００２８】
【発明の実施の形態】
（第１の実施形態）
以下、本発明を具体化したボックス支持装置並びに同ボックス支持装置に組み付けられるボックス支持具及びボックスの第１の実施形態を図１〜図５に従って説明する。
【００２９】
図１に示すように、ボックス支持装置１１は、コンクリートスラブを形成する型枠（図示せず）の上面に設けられる複数の支持杆としてのボルト体Ｂと、前記コンクリートスラブに埋設されるボックス１２と、前記ボルト体Ｂに取り付けられる支持体としてのナットＮとより形成されている。前記ボルト体Ｂはそれぞれ長尺状をなし、ボルト体Ｂの外周面には同ボルト体Ｂの長さ方向全体に亘ってねじ山が形成され、そのねじ山に前記ナットＮが螺合可能に形成されている。
【００３０】
まず、前記ボックス１２について説明する。ボックス１２は、合成樹脂により平面視正方形状に形成され、上面に開口を有する四角箱状に形成されている。また、ボックス１２の相対向する一対の側壁の外面には、それぞれ略円筒状をなすとともに、上面が開口形成された挿通部Ｓが、各側壁の高さ方向、具体的には側壁の上下方向に沿って延びるように形成されている。各挿通部Ｓはボックス１２の相対向する一対の角部、即ちボックス１２の対角に位置するように形成され、各挿通部Ｓ内にそれぞれボルト体Ｂが挿通可能に形成されている。
【００３１】
また、挿通部Ｓが形成された各側壁の内面には、略四角筒状をなすボス部１２ｂが形成されている。このボス部１２ｂは、ボックス１２に配線器具（図示せず）を取り付けるための塗代カバー（図示せず）を貫通した取付ビス（図示せず）が螺着可能に形成されている。
【００３２】
次に、ボックス支持具１３について説明する。ボックス支持具１３は前記型枠の上面に固定される支持具本体１４と、同支持具本体１４に上下方向に延びるように支持される一対のボルト体Ｂと、それらボルト体Ｂに螺合される前記ナットＮとより形成されている。図１及び図２に示すように、前記支持具本体１４は合成樹脂により細長板状に形成され、支持具本体１４の長さ方向における両端部には、それぞれ筒状をなし、内部にボルト体Ｂを挿入可能とする挿入部としてのボルト挿入部１５が上下方向に延びるように形成されている。
【００３３】
前記一対のボルト挿入部１５の平面視における中心点同士を結んだ直線の長さと、前記一対の挿通部Ｓの平面視における中心点同士を結んだ直線の長さとは略同一となっている。そして、前記ボックス１２の相対向する一対の側壁に形成された挿通部Ｓに挿通されるべく支持具本体１４にはボルト体Ｂが一対設けられている。また、図１に示すように、各ボルト挿入部１５の周面には、それぞれ各ボルト挿入部１５内と連通し、ねじ１６を螺入可能とする一対のねじ孔１５ａが上下に形成されている。そして、このねじ孔１５ａからボルト挿入部１５内にねじ１６を螺入することにより、ボルト挿入部１５にボルト体Ｂを保持することができる。
【００３４】
支持具本体１４の上面には、前記ねじ孔１５ａに挿通可能なねじ１６の先端を保持可能とする筒状をなすねじ保持部１５ｂが上下方向に延びるように形成されている。また、支持具本体１４の長さ方向における両側部には、それぞれ釘１７を挿通可能とする釘孔１５ｃが形成されている。支持具本体１４の上面において、各釘孔１５ｃと繋がる位置には、図２に破線で示すように、当該釘孔１５ｃより大径となる釘抜き孔１５ｈが形成され、各釘抜き孔１５ｈは薄肉部１５ｄにより閉塞されている。前記各薄肉部１５ｄの厚みは、それぞれ支持具本体１４の上面における薄肉部１５ｄ以外の部位の厚みよりも薄く形成され、釘１７により容易に打ち抜き可能に形成されている。
【００３５】
支持具本体１４の長さ方向に沿った側縁には、罫書線を罫書可能とすべく直線状に延びる罫書部１５ｅが形成されている。加えて、図１に示すように、支持具本体１４の外周縁には、下方へ延びる周縁リブ１５ｆが形成され、その周縁リブ１５ｆには、コンクリート流入口１５ｇが形成されている。
【００３６】
さらに、支持具本体１４の長さ方向における両側部には、平面視三角形状をなす視認窓１５ｉが支持具本体１４を貫通して形成されている。そして、この視認窓１５ｉにより、型枠の上面等に罫書かれた罫書線を視認することができるようになっている。
【００３７】
図３に示すように、支持具本体１４の裏面において、各釘孔１５ｃ及び釘抜き孔１５ｈの周縁には、それぞれ侵入防止リブ１５ｊが前記周縁リブ１５ｆに繋がるように立設されている。各侵入防止リブ１５ｊは周縁リブ１５ｆと高さが等しくなるように形成されている。
【００３８】
そして、図４に示すように、支持具本体１４の各ボルト挿入部１５にそれぞれボルト体Ｂが挿入され、各ボルト体ＢにそれぞれナットＮが螺合されることによりボックス支持具１３が形成されている。ボックス支持具１３の両ボルト体Ｂはそれぞれボックス１２の挿通部Ｓに挿通可能な位置から立設されている。さらに、各挿通部Ｓに、ボックス支持具１３から立設された一対のボルト体Ｂがそれぞれ挿通され、一対のナットＮに一対の挿通部Ｓが支持されることによって、ボックス１２がボルト体Ｂに支持されるとともに、ボックス支持装置１１が形成されている。即ち、前記ボックス支持装置１１は、ボックス１２にボックス支持具１３が組み付けられて形成されている。
【００３９】
さて、上記ボックス支持装置１１を使用して、ボックス１２を型枠Ｋに支持させる方法について、ボックス支持装置１１、ボックス支持具１３及びボックス１２の作用とともに説明する。
【００４０】
まず、図４に示すように、支持具本体１４の釘孔１５ｃから釘１７を型枠Ｋに固定して、支持具本体１４を型枠Ｋに固定するとともに、ボックス支持具１３を型枠Ｋに固定する。すると、ボルト体Ｂが型枠Ｋの上面から上下方向へ延びるように設置される。次に、各ねじ保持部１５ｂに保持されたねじ１６をそれぞれ取外し、それらねじ１６をそれぞれねじ孔１５ａに螺入して、ボルト体Ｂのねじ山間にねじ込む。すると、各ボルト体Ｂはボルト挿入部１５に保持され、各ボルト体Ｂのボルト挿入部１５内における周方向への回転及び支持具本体１４からの抜け出しが規制される。
【００４１】
次いで、ボックス１２の各挿通部Ｓにボルト体Ｂの上端側を挿通させ、さらに、一対のナットＮの上面に、対応する挿通部Ｓの下面を載せる。すると、一対のナットＮによりボックス１２が一対のボルト体Ｂの上部に支持されるとともに、ボックス支持装置１１が型枠Ｋに設置される。即ち、ボックス１２は一対のナットＮによって、型枠Ｋの上面より上方位置に支持される。
【００４２】
さらに、図５に示すように、ボックス１２の側壁に管材としての電線管１８を接続する。このとき、挿通部Ｓは側壁の端部外面に形成されているため、挿通部Ｓは電線管１８の接続の障害とならない。続いて、両ナットＮをそれぞれ回転させ、各ボルト体Ｂに沿って螺進又は螺退させて移動させる。このとき、ボックス１２とナットＮはそれぞれ各ボルト体Ｂに対して別々に移動可能に形成されている。そのため、ナットＮが回転されても、ボックス１２は回転することなくボルト体Ｂに沿って上下動される。そして、ナットＮのボルト体Ｂに沿った移動によって、ナットＮに支持されたボックス１２のボルト体Ｂに沿った高さ、即ちボックス１２の裏面の型枠Ｋの上面からの高さが調整される。
【００４３】
このとき、ボックス１２はナットＮとともに回転することなく上下動されるため、ボックス１２に接続された電線管１８はボックス１２の周方向に巻き付く方向に回転することなく、ボックス１２とともに上下動される。型枠Ｋからボックス１２の開口面までの高さが、後に形成されるコンクリートスラブの厚さと一致するようにナットＮを回転させてボックス１２の高さを調整する。
【００４４】
ボックス１２の高さ調整後、コンクリートを型枠Ｋ間に打設する。このとき、ボックス１２は一対のボルト体Ｂにより支持されているため、一対のボルト体Ｂ間には間隙が形成され、ボックス１２の下側にまでコンクリートが流入し、コンクリートスラブ内に埋設されたボックス１２の周辺部に空隙部が生ずることがない。
【００４５】
また、支持具本体１４にはコンクリート流入口１５ｇが形成されているため、型枠Ｋの上面と支持具本体１４の裏面との間にもコンクリートが流入し、支持具本体１４の裏面にも空隙部が生ずることがない。なお、侵入防止リブ１５ｊにより、支持具本体１４の裏側に流入したコンクリートが釘孔１５ｃ内及び釘抜き孔１５ｈ内に侵入することが防止される。そのため、釘１７の周りに空隙が形成された状態で、同釘１７はコンクリートスラブ内に埋設される。その結果、ボックス１２が、同ボックス１２の開口面をコンクリートスラブの上面に臨ませた状態で当該コンクリートスラブ内に埋設される。
【００４６】
コンクリートが硬化して型枠Ｋを除去した後、コンクリートスラブの裏面側から突出する釘１７の端部を保持し、同釘１７を釘孔１５ｃから薄肉部１５ｄ側へ移動させる。このとき、薄肉部１５ｄは薄肉に形成されているため、釘１７の移動により破られ、釘１７は釘抜き孔１５ｈ内へ移動される。また、釘１７の周囲には空隙が形成されているため、コンクリートスラブが釘１７の移動の障害となることなく、その移動作業が行われる。すると、釘抜き孔１５ｈは釘１７の頭部より大径に形成されているため、その釘抜き孔１５ｈから釘１７を抜き取ることができ、コンクリートスラブから釘１７が抜き取られる。
【００４７】
上記実施形態によれば、以下のような特徴を得ることができる。
（１）ボックス１２は一対の挿通部Ｓにそれぞれボルト体Ｂが挿通されることによってボルト体Ｂに沿って上下動可能に設けられ、ボックス１２とは独立してボルト体Ｂに沿って移動可能な一対のナットＮによってボックス１２の高さの調整が行われる。そのため、ナットＮの独立した回転により、ボックス１２を回転させることなくボルト体Ｂに沿って上下動させることができ、ボックス１２に電線管１８が接続された状態でも、ボックス１２の高さ調整を行うことができる。
【００４８】
その結果、ボックス１２の高さ調整をする際に、電線管１８のボックス１２からの取外し及び再度の接続を行う必要があったり、ボックス１２をボックス固定具から取外す必要があった従来と異なり、ボックス１２の高さ調整作業を容易に行うことができる。また、コンクリートが打設される高さまでボックス１２の開口側端面が位置するように高さ調整を行う際も、ボックス１２を支持具本体１４から取外す必要がないため、ボックス１２の高さ調整作業を容易に行うことができる。
【００４９】
（２）一対のナットＮをそれぞれ回転させることにより、ボックス１２の高さを調整することができる。従って、一人の作業者で一対のナットＮを回転させることが可能となり、ボックス１２の高さ調整作業を一人で容易に行うことができる。また、ナットＮのボルト体Ｂに対する螺進又は螺退によりボックス１２の高さ調整を行うことができるため、ボックス１２の微妙な高さ調整を可能とすることができる。
【００５０】
（３）ボルト挿入部１５のねじ孔１５ａからボルト体Ｂのねじ山間にねじ１６を挿入することにより、ボルト体Ｂをボルト挿入部１５に保持することができる。従って、コンクリート打設の際の衝撃によるボルト体Ｂの周方向への回転やボルト挿入部１５からの抜け出しを規制することができる。その結果、ナットＮを上下動させるとき、ボルト体Ｂが揺れ動いたりする不都合の発生、ボルト体Ｂに支持されたボックス１２の高さのずれの発生等を防止してボックス１２の高さ調整作業を円滑に行うことができる。
【００５１】
（４）支持具本体１４のねじ保持部１５ｂにねじ１６を保持することができるため、支持具本体１４とねじ１６とを一緒に運搬することができる。従って、ボルト体Ｂをボルト挿入部１５に保持する際、ねじ１６を別途容易する必要が無く、ボルト体Ｂをボルト挿入部１５に保持する作業を速やかに行うことができる。
【００５２】
（５）支持具本体１４には釘孔１５ｃが形成されているため、その釘孔１５ｃから型枠Ｋに釘１７を固定することにより、支持具本体１４を型枠Ｋに固定する作業を容易に行うことができる。また、支持具本体１４には、釘孔１５ｃに連通して釘抜き孔１５ｈが形成され、その釘抜き孔１５ｈは薄肉部１５ｄにより閉塞されている。従って、コンクリート打設により、釘抜き孔１５ｈが埋没してしまう不都合の発生を防止することができる。
【００５３】
（６）また、薄肉部１５ｄを釘１７で破ることにより、釘１７を釘抜き孔１５ｈに移動することができ、その釘抜き孔１５ｈにより、釘１７を支持具本体１４、即ちコンクリートスラブから抜き取ることができる。従って、釘１７が錆びることによるコンクリートスラブの腐食を防止することができる。加えて、侵入防止リブ１５ｊにより、釘孔１５ｃ及び釘抜き孔１５ｈ内にコンクリートが侵入するのを防止することができ、釘孔１５ｃから釘抜き孔１５ｈへの釘１７の移動及び釘抜き孔１５ｈからの釘１７の引き抜き作業を容易に行うことができる。
【００５４】
（７）挿通部Ｓはボックス１２の相対向する一対の側壁に形成されている。そのため、ボックス１２を一対のボルト体Ｂにより支持することができ、ボックス１２を安定した状態で支持することができる。
【００５５】
（８）挿通部Ｓは相対向する側壁の外面に形成されている。そのため、挿通部Ｓが側壁の内面に形成されている場合と比較して、ボックス１２の内側の空間を広くとることができ、ボックス１２内への配線器具、ケーブル等の収容を円滑に行うことができる。
【００５６】
（９）挿通部Ｓはボックス１２の側壁の端部側に形成されている。そのため、電線管１８をボックス１２の側壁に接続するとき、挿通部Ｓが障害になるといった不具合の発生を無くすことができる。
【００５７】
（１０）挿通部Ｓは、平面視正方形状のボックス１２の対角線の両端側に形成されている。そのため、一対のボルト体Ｂにより、ボックス１２を安定して支持することができる。また、一対のボルト体Ｂ同士の間隔を広くすることができ、それらボルト体Ｂ間にコンクリートを入り込みやすくすることができるとともに、ボックス１２をコンクリートスラブ内に安定した状態で埋設することができる。
【００５８】
（１１）挿通部Ｓはボックス１２の側壁の高さ方向に沿って延びるように形成されている。そのため、挿通部Ｓにボルト体Ｂを挿通することにより、ボックス１２を側壁の高さ方向へ移動するように案内させることができ、ボックス１２の高さ調整を確実に行うことができる。
【００５９】
（第２の実施形態）
以下、本発明を具体化した第２の実施形態を図６及び図７に従って説明する。なお、第２の実施形態は、第１の実施形態の挿通部及びボルト体を変更したのみの構成であるため、同様の部分についてはその詳細な説明を省略する。
【００６０】
図７に示すように、第２の実施形態のボックス支持装置２１は、一対の支持ボルトＴと、それら支持ボルトＴがそれぞれ挿通され、それら支持ボルトＴに螺合する螺合部Ｒが設けられた挿通部Ｓを備えるボックス１２とより形成されている。図６（ａ）に示すように、第１の実施形態と同様の構成のボックス１２の底壁において、前記ボス部１２ｂの真下には、当該ボス部１２ｂを成形する際に、使用された金型の型抜きのための平面視四角形状をなす透孔１２ａが形成されている。
【００６１】
ボックス１２において、各挿通部Ｓの下端には、図６（ｂ）に示すナット保持部材２０が取り付けられている。前記ナット保持部材２０は合成樹脂材料により略Ｌ字状に形成され、図６（ａ）に示すように、ナット保持部材２０の一端側には、内部にナット部材２０ａを保持する保持凹部２０ｂが形成されている。その保持凹部２０ｂの開口縁部は挿通部Ｓの下端部の外周面に沿う形状に形成されている。一方、ナット保持部材２０の他端側には、ボックス１２の透孔１２ａに嵌合可能な嵌合突部２０ｃが形成されている。
【００６２】
そして、ナット部材２０ａを保持したナット保持部材２０の嵌合突部２０ｃを前記透孔１２ａに嵌合し、さらに、保持凹部２０ｂを挿通部Ｓの下端部に取り付けるとともに、ナット保持部材２０をボックス１２に接着剤で接着する。その結果、図７に破線に示すように、前記ナット部材２０ａがボックス１２に取り付けられ、そのナット部材２０ａにより挿通部Ｓに螺合部Ｒが形成される。前記挿通部Ｓに挿通され、さらに、前記螺合部Ｒに螺合される支持ボルトＴはそれぞれ長尺状をなし、支持ボルトＴの外周面には同支持ボルトＴの長さ方向全体に亘ってねじ山が形成され、そのねじ山が前記螺合部Ｒに螺合可能に形成されている。
【００６３】
また、第１の実施形態と同様の構成の支持具本体１４と、その支持具本体１４の挿入部としてのボルト挿入部１５に挿入され、支持具本体１４に上下方向に延びるように支持された一対の支持ボルトＴとによりボックス支持具２２が形成されている。なお、ボルト挿入部１５のねじ孔１５ａにねじ１６は螺入されず、各支持ボルトＴはボルト挿入部１５内において、その周方向に回転可能になっている。
【００６４】
そして、図７に示すように、第１の実施形態と同様に、支持具本体１４を型枠Ｋの上面に固定してボックス支持具２２を型枠Ｋに固定するとともに、型枠Ｋの上面から支持ボルトＴが上下方向へ延びるように設置する。次に、ボックス１２の各螺合部Ｒにおけるナット部材２０ａに支持ボルトＴを螺合させながら、挿通部Ｓ内に支持ボルトＴを挿通させる。すると、一対の螺合部Ｒによりボックス１２が一対の支持ボルトＴの上部に支持され、ボックス支持装置２１が形成されるとともに、そのボックス支持装置２１が型枠Ｋに設置される。即ち、前記ボックス支持装置２１は、ボックス１２にボックス支持具２２が組み付けられて形成されている。
【００６５】
図示しない電線管が接続されたボックス１２の高さを調整するには、各挿通部Ｓの上面から支持ボルトＴの上面を工具としてのドライバーＤにより回転させて、支持ボルトＴを周方向に回転させる。なお、支持ボルトＴは、工具を使用せず、手により直接回転させてもよい。このとき、支持ボルトＴのみが回転され、ボックス１２自体は支持ボルトＴの回転とともに回転されない。
【００６６】
そのため、支持ボルトＴの周方向への回転により、ナット部材２０ａ、即ち螺合部Ｒが支持ボルトＴに沿って螺進又は螺退される。その結果、螺合部Ｒ及び挿通部Ｓが一体形成されたボックス１２は支持ボルトＴに沿って移動され、ボックス１２の支持ボルトＴに沿った高さ調整が行われる。最後に、ねじ１６をねじ保持部１５ｂから取外し、ねじ孔１５ａに螺入して支持ボルトＴをボルト挿入部１５に対して回転及び抜け出しが規制された状態に保持する。
【００６７】
従って、第２の実施形態においても、ボックス１２の高さ調整のために支持ボルトＴを回転させる作業が行われても、螺合部Ｒを備えた挿通部Ｓを介することによって、ボックス１２を回転させることなくボックス１２の型枠Ｋに対する高さ調整作業を行うことができる。その結果、ボックス１２の高さ調整をする際に、電線管のボックス１２からの取外し及び再度の接続を行う必要があったり、ボックス１２をボックス固定具から取外す必要があった従来と異なり、ボックス１２の高さ調整作業を容易に行うことができる。
【００６８】
さらに、第２の実施形態においては、第１の実施形態の（４）〜（１１）の効果に加え、ナット保持部材２０により、挿通部Ｓに螺合部Ｒを容易に設けることができる。加えて、ナット保持部材２０の嵌合突部２０ｃがボックス１２の透孔１２ａに嵌合しているため、コンクリートが打設されたとき、透孔１２ａからボックス１２内にコンクリートが流れ込むことが防止され、ボックス１２内がコンクリートに埋設されてしまうといった不都合の発生を防止できる。
【００６９】
（第３の実施形態）
以下、本発明を具体化した第３の実施形態を図８に従って説明する。なお、第３の実施形態は、第１の実施形態のボルト体、挿通部及び支持具本体を変更したのみの構成であるため、同様の部分についてはその詳細な説明を省略する。
【００７０】
図８に示すように、ボックス支持装置２４は、支持具本体１４に支持されるとともに、支持具本体１４に設けられたねじ部Ｍに螺合される一対の支持ボルトＴと、支持部２６を備えたボックス１２とより形成されている。
【００７１】
ボックス１２の挿通部Ｓの上端面は閉塞され、その挿通部Ｓの上端面には、支持ボルトＴの上端部に支持される支持部２６が形成されている。この支持部２６により、支持ボルトＴは挿通部Ｓ内での回転が許容され、ボックス１２が支持ボルトＴに支持される。また、挿通部Ｓの下端部にはナット部材２０ａを保持したナット保持部材２０が取り付けられておらず、螺合部Ｒは形成されていない。
【００７２】
前記支持具本体１４の挿入部としての各ボルト挿入部１５の内周面には、支持ボルトＴのねじ山と螺合可能なねじ部Ｍが形成されている。そして、支持具本体１４と、ねじ部Ｍと、ボルト挿入部１５に挿入され、支持具本体１４に上下方向に延びるように支持された一対の支持ボルトＴとによりボックス支持具２５が形成されている。なお、ボルト挿入部１５のねじ孔１５ａにねじ１６は螺入されず、各支持ボルトＴはボルト挿入部１５内において、その周方向に回転可能になっている。
【００７３】
そして、図８に示すように、第１の実施形態と同様に、支持具本体１４を型枠Ｋに固定してボックス支持具２５を型枠Ｋに固定するとともに、型枠Ｋの上面から支持ボルトＴが上下方向へ延びるように設置する。次に、各挿通部Ｓ内に支持ボルトＴを挿通し、各挿通部Ｓの支持部２６に各支持ボルトＴの上端部を当接させる。すると、一対の支持ボルトＴの上部に支持部２６が支持され、それら支持ボルトＴにボックス１２が支持されるとともに、そのボックス支持装置２４が型枠Ｋに設置される。即ち、前記ボックス支持装置２４は、ボックス１２にボックス支持具２５が組み付けられて形成されている。
【００７４】
図示しない電線管が接続されたボックス１２の高さを調整するには、支持ボルトＴを周方向に回転させる。このとき、支持ボルトＴの回転により、支持ボルトＴはねじ部Ｍに対して螺進又は螺退されるとともに、同支持ボルトＴの上端側は挿通部Ｓ内で回転される。そのため、支持ボルトＴのみが回転するため、ボックス１２は回転することなく、支持ボルトＴの移動とともに、上下動され、ボックス１２の高さ調整が行われる。最後に、ねじ１６をねじ保持部１５ｂから取外し、ねじ孔１５ａに螺入して支持ボルトＴをボルト挿入部１５に対して回転及び抜け出しが規制された状態に保持する。
【００７５】
従って、第３の実施形態においても、第１の実施形態の（４）〜（１１）の効果に加え、ボックス１２の高さ調整のために支持ボルトＴを回転させる作業が行われても、ボックス１２を回転させることなくボックス１２の型枠Ｋに対する高さ調整作業を行うことができる。その結果、ボックス１２の高さ調整をする際に、電線管のボックス１２からの取外し及び再度の接続を行う必要があったり、ボックス１２をボックス固定具から取外す必要があった従来と異なり、ボックス１２の高さ調整作業を容易に行うことができる。
【００７６】
（第４の実施形態）
以下、本発明を具体化した第４の実施形態を図９に従って説明する。なお、第４の実施形態は、第１の実施形態のボルト体及び挿通部を変更したのみの構成であるため、同様の部分についてはその詳細な説明を省略する。
【００７７】
図９に示すように、ボックス支持装置２８は、支持具本体１４に支持される一対の支持ボルトＴと、支持部を備えたボックス１２と、前記支持ボルトＴに螺合され、支持具本体１４のボルト挿入部１５の上端面に支持される調整ナット３０とより形成されている。
【００７８】
挿通部Ｓの下端部にはナット部材２０ａを保持したナット保持部材２０が取り付けられ、前記ナット部材２０ａは、支持ボルトＴの上部に螺合されることにより、同支持ボルトＴの上部に支持される支持部として形成されている。前記支持具本体１４の挿入部としての各ボルト挿入部１５には、支持ボルトＴが挿入され、各支持ボルトＴに螺合された調整ナット３０が前記各ボルト挿入部１５の上端面に支持されている。そして、支持具本体１４と、調整ナット３０と、支持具本体１４に上下方向に延びるように支持された一対の支持ボルトＴとによりボックス支持具３１が形成されている。
【００７９】
さて、第１の実施形態と同様に、支持具本体１４を型枠Ｋに固定してボックス支持具３１を型枠Ｋに固定するとともに、型枠Ｋの上面から支持ボルトＴが上下方向へ延びるように設置する。次に、各支持ボルトＴをナット部材２０ａに螺合させながらが、それら支持ボルトＴを各挿通部Ｓ内に挿通させる。すると、一対の支持ボルトＴの上部にナット部材２０ａが支持され、それら支持ボルトＴにボックス１２が支持されるとともに、そのボックス支持装置２８が型枠Ｋに設置される。即ち、前記ボックス支持装置２８は、ボックス１２にボックス支持具３１が組み付けられて形成されている。
【００８０】
そして、前記調整ナット３０を、同調整ナット３０がボルト挿入部１５側に向かって支持ボルトＴを螺進するように回転させる。すると、支持ボルトＴが周方向へ回転することなくボルト挿入部１５から上方に向かうように移動される。従って、調整ナット３０の回転量を調整して支持ボルトＴの高さを調整することにより、ボックス１２の高さを調整することができる。
【００８１】
一方、前記調整ナット３０を、同調整ナット３０がボルト挿入部１５から離れるように支持ボルトＴに沿って螺退させる。すると、ボックス１２の重みにより、支持ボルトＴが周方向へ回転することなくボルト挿入部１５内に挿入されていき、ボックス１２の高さが低くなる。即ち、調整ナット３０を支持ボルトＴに沿って螺進又は螺退させることにより、ボックス１２の高さを調整することができる。
【００８２】
なお、第４の実施形態において、挿通部Ｓにナット部材２０ａを保持したナット保持部材２０を取り付けず、支持ボルトＴを挿通部Ｓに直接的に挿通してもよい。このとき、挿通部Ｓの上端面が閉塞され、その上端面により支持ボルトＴに支持される支持部が形成される。
【００８３】
なお、上記各実施形態は以下のように変更してもよい。
・  第２の実施形態では、ナット保持部材２０を使用してナット部材２０ａを挿通部Ｓに設けて螺合部Ｒを設けたが、ナット保持部材２０を使用することなく、挿通部Ｓ内にナット部材２０ａを埋め込み、そのナット部材２０ａにより挿通部Ｓに螺合部Ｒを設けてもよい。又は挿通部Ｓの内周面にねじ山を形成して螺合部Ｒとしてもよい。
【００８４】
・  各実施形態のボックス１２では、挿通部Ｓをボックス１２の対角に位置するように形成したが、挿通部Ｓをボックス１２の対角となる位置以外に形成してもよい。例えば、ボックス１２の相対向する一対の側壁の各中央部に挿通部Ｓを形成してもよく、一対の挿通部Ｓがそれぞれ相対向しない位置に形成されていてもよい。
【００８５】
・  各実施形態のボックス１２をそれぞれ平面視四角形状の箱状に形成したが、ボックス１２を平面視五角形状、六角形状、八角形状等の平面視多角形状に形成してもよい。このとき、挿通部Ｓは相対向する一対の側壁に形成され、対角に位置するように形成されていてもよく、それ以外の位置に形成されていてもよい。
【００８６】
・  第１及び第２の実施形態のボックス支持装置１１，２１では、ボックス支持具１３，２２を使用したが、ボルト体Ｂ又は支持ボルトＴの下端部を型枠Ｋに直接的に固定又は回転可能に設け、そのボルト体Ｂ又は支持ボルトＴにボックス１２を支持させてもよい。即ち、支持具本体１４を使用することなくボックス１２を支持させてもよい。
【００８７】
・  第１の実施形態では、ナットＮにより挿通部Ｓを支持したが、ナットＮの上面に支持片を設けるとともに、その支持片によりボックス１２の底壁を支持してもよい。
【００８８】
・  各実施形態では、一対のボルト体Ｂ又は支持ボルトＴを使用したが、３本以上のボルト体Ｂ又は支持ボルトＴを使用してボックス１２を支持してもよい。
・  第１の実施形態において、ボルト体Ｂに沿ってナットＮが螺進又は螺退される範囲となる位置のみにねじ山を形成し、その他の部位のねじ山を省略してもよい。また、第２の実施形態において、支持ボルトＴにおけるナット部材２０ａが螺進又は螺退される範囲となる位置のみにねじ山を形成し、その他の部位のねじ山を省略してもよい。さらに、第３の実施形態において、支持ボルトＴがねじ部Ｍに螺進又は螺退される位置のみにねじ山を形成し、その他の部位のねじ山を省略してもよい。加えて、第４の実施形態において、支持ボルトＴに沿って調整ナット３０が螺進又は螺退される位置のみにねじ山を形成し、その他の部位のねじ山を省略してもよい。
【００８９】
・  第１の実施形態において、以下のようなボックス支持装置に具体化してもよい。例えば型枠Ｋに上下方向に延びるように設けられる複数の支持杆としての金属棒と、前記ボックス１２と、前記金属棒に取り付けられ、前記ボックスを支持する支持体としての支持部材とよりボックス支持装置を形成してもよい。具体的には、金属棒の外周面に、同金属棒の長さ方向に沿って複数箇所に係合段部を形成する。さらに、筒状をなし、前記金属棒に装着可能な支持部材を設け、その支持部材に、前記係合段部に係合可能な係合爪部を設ける。この係合爪部は、付勢部材（例えばコイルばね、板ばね等）によって係合段部に係合する方向に付勢されている。そして、支持部材にボックス１２を支持させ、その支持部材を金属棒に沿って移動させ、係合爪部を係合段部に係合させる位置を変更することにより、ボックス１２を支持する位置を調整することができる。即ち、支持部材の金属棒に沿った移動によって、支持部材に支持されたボックス１２の金属棒に沿った高さを調整することができる。なお、前記支持具本体１４のボルト挿入部１５に金属棒を挿入し、その金属棒に支持部材を取り付けてボックス支持具を形成してもよい。
【００９０】
・  第３の実施形態において、挿通部Ｓの上下方向への長さを短くし、支持部２６のみの構成としてもよい。
・  第４の実施形態において、挿通部Ｓを省略し、ボックス１２の側壁の外面にナット保持部材２０を取付け、そのナット保持部材２０に保持された支持部としてのナット部材２０ａのみの構成としてもよい。
【００９１】
・  各実施形態では、ボックス１２を上面に開口するように各ボックス支持装置１１，２１，２４，２８で支持したが、ボックス１２が側方に開口するように挿通部Ｓ又は支持部２６の位置を変更してもよい。
【００９２】
次に上記実施形態及び別例から把握できる技術的思想について、それらの効果とともに以下に追記する。
（１）前記螺合部は、挿通部に取り付けられたナット保持部材内に保持されたナットにより形成されていることを特徴とする請求項３に記載のボックス支持装置。このように構成した場合、挿通部に螺合部を容易に設けることができる。そのため、螺合部を有するボックス支持装置と、螺合部を有しないボックス支持装置とを容易に設けることができ、使用目的に応じたボックス支持装置の使い分けをすることができる。
【００９３】
（２）前記支持杆又は支持ボルトは型枠に固定される支持具本体に支持されて型枠に設けられることを特徴とする請求項１〜請求項６のいずれか一項に記載のボックス支持装置。
【００９４】
【発明の効果】
以上、詳述したように、本発明によれば、ボックスの高さ調整作業を容易に行うことができる。
【図面の簡単な説明】
【図１】第１の実施形態のボックス支持装置を示す分解斜視図。
【図２】ボックス支持具の支持具本体を示す平面図。
【図３】ボックス支持具の支持具本体を示す裏面図。
【図４】ボックス支持具によってボックスを支持した状態を示す側面図。
【図５】ボックスの高さを調整した状態を示す側面図。
【図６】（ａ）はボックス及びナット保持部材を示す部分破断斜視図、（ｂ）はナット保持部材を示す斜視図。
【図７】第２の実施形態のボックス支持装置を示す側面図。
【図８】第３の実施形態のボックス支持装置を示す側面図。
【図９】第４の実施形態のボックス支持装置を示す側面図。
【符号の説明】
Ｂ…支持杆としてのボルト体、Ｋ…型枠、Ｍ…ねじ部、Ｎ…支持体としてのナット、Ｒ…螺合部、Ｓ…挿通部、Ｔ…支持ボルト、１１，２１，２４，２８…ボックス支持装置、１２…ボックス、１３，２２，２５，３１…ボックス支持具、１４…支持具本体、１５…挿入部としてのボルト挿入部、１５ａ…ねじ孔、１６…ねじ、２０ａ…螺合部及び支持部を形成するナット部材、２６…支持部、３０…調整ナット。
【図１】
2004159457.tif 000003
【図２】
2004159457.tif 000004
【図３】
2004159457.tif 000005
【図４】
2004159457.tif 000006
【図５】
2004159457.tif 000007
【図６】
2004159457.tif 000008
【図７】
2004159457.tif 000009
【図８】
2004159457.tif 000010
【図９】
2004159457.tif 000011